(57)【要約】【課題】包装袋の緩衝部において、緩衝部の切れ込み部がなす目の開く向きを調節する。【解決手段】包装袋１は、開口９をもつ袋状の外装体１０と、外装体１０に内装された緩衝部２０Ａとを備え、物品を包装する。緩衝部２０Ａには、所定方向に沿って切り込まれた主部３ａの設けられた切れ込み部３が千鳥状に設けられ、切れ込み部３の少なくとも一部は、所定方向に対して交差する方向に主部３ａの端部から延出して切り込まれた補助部３ｂを有する鉤形をなす。【選択図】図４
2019099223.tif 000002
【特許請求の範囲】
【請求項１】
開口をもつ袋状の外装体と、前記外装体に内装された緩衝部とを備え、物品を包装する包装袋であって、
前記緩衝部には、所定方向に沿って切り込まれた主部の設けられた切れ込み部が千鳥状に設けられ、
前記切れ込み部の少なくとも一部は、前記所定方向に対して交差する方向に前記主部の端部から延出して切り込まれた補助部を有する鉤形をなす
ことを特徴とする包装袋。
【請求項２】
前記補助部は、前記主部の両端部からそれぞれに延出している
ことを特徴とする請求項１に記載された包装袋。
【請求項３】
前記切れ込み部の全てが前記補助部を有する
ことを特徴とする請求項１または２に記載された包装袋。
【請求項４】
前記補助部は、前記端部からの延出方向が統一された
ことを特徴とする請求項１〜３の何れか１項に記載された包装袋。
【請求項５】
前記補助部は、前記端部からの延出方向が不統一である
ことを特徴とする請求項１〜３の何れか１項に記載された包装袋。
【請求項６】
前記緩衝部は、前記外装体において前記開口の一側に配置された第一端縁部と前記外装体において前記開口の他側に配置された第二端縁部との間に懸架され、懸架方向に対して交差する方向に沿って前記所定方向が配向された伸長可能なシート状をなす
ことを特徴とする請求項１〜５の何れか１項に記載された包装袋。
【請求項７】
前記緩衝部は、前記切れ込み部が設けられたシート状の内装材を前記所定方向と交差する方向に伸長させた状態で、前記切れ込み部の周囲の片部が立ち上がって形成された複数の緩衝セルを有するマット状をなす
ことを特徴とする請求項１〜５の何れか１項に記載された包装袋。
【請求項８】
前記所定方向は、前記物品の挿抜方向に沿って配向された
ことを特徴とする請求項７に記載された包装袋。
【請求項９】
前記所定方向は、前記物品の挿抜方向に対して交差する方向に沿って配向された
ことを特徴とする請求項７に記載された包装袋。
【発明の詳細な説明】
【技術分野】
【０００１】
本発明は、物品を包装する袋に関する。
【背景技術】
【０００２】
緩衝材の一つとして、直線状に延びる複数の切れ込み部が千鳥状に設けられたシートが知られている。このシートは、その延在平面において切れ込み部の延びる方向に対して直交する方向に伸長させると、切れ込み部に対応する目が蜂の巣状に開く（このことから「ハニーペーパー」とも称される）。そして、厚み方向の寸法が増大して緩衝代の形成されたマット状に変化する（機能に着目して「クッションペーパー」とも称される）。このようなシートが緩衝部として内装された包装具も提案されている（特許文献１参照）。
【先行技術文献】
【特許文献】
【０００３】
【特許文献１】特開2016-34852号公報
【発明の概要】
【発明が解決しようとする課題】
【０００４】
しかし、上記した緩衝部を伸長させた際には、切れ込み部が伸長方向に直交して延びる直線状であることから、切れ込み部の延在方向以外には方向性が無く、目の開く向きを調節することができない。たとえば伸長された緩衝部の外観や機能を高める観点から、切れ込み部がなす目の開く向きを調整することが望ましい。
【０００５】
本件の包装袋は、上記のような課題に鑑みて創案されたもので、緩衝部の切れ込み部がなす目の開く向きを調節することを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００６】
ここで開示する包装袋は、開口をもつ袋状の外装体と、前記外装体に内装された緩衝部とを備え、物品を包装する。前記緩衝部には、所定方向に沿って切り込まれた主部の設けられた切れ込み部が千鳥状に設けられている。また、前記切れ込み部の少なくとも一部は、前記所定方向に対して交差する方向に前記主部の端部から延出して切り込まれた補助部を有する鉤形をなす。
【発明の効果】
【０００７】
本件の包装袋によれば、主部の端部から延出して切り込まれた補助部によって切れ込み部に主部の延在方向以外の方向性をもたせ、切れ込み部のなす目の開く向きを調節することができる。延いては、伸長された緩衝部の外観や機能を高めることができる。
【図面の簡単な説明】
【０００８】
【図１】シート状の緩衝部における要部を拡大して示す平面図である。
【図２】マット状の緩衝部における要部を拡大して示す平面図である。
【図３】図２のＡ−Ａ断面を示す断面図である。
【図４】第一包装袋を示す斜視図である。
【図５】図４の縦断面図である。
【図６】使用時の第一包装袋を示す縦断面図である。
【図７】第一包装袋の変形例を示す斜視図である。
【図８】第二包装袋を示す斜視図である。
【図９】第二包装袋の第一変形例を示す斜視図である。
【図１０】第二包装袋の第二変形例を示す斜視図である。
【図１１】第二包装袋の第三変形例を示す斜視図である。
【発明を実施するための形態】
【０００９】
以下、図面を参照して、実施形態としての包装袋について説明する。
包装袋とは、物品を包装する袋である。本実施形態では、包装される物品を保護する緩衝部（内装体）が本体袋（外装体）に設けられた包装袋を説明する。
この包装袋に設けられる緩衝部は、伸張可能であり、本体袋に内装されている。
【００１０】
この緩衝部は、伸張前の状態（以下「未伸張状態」という）ではシート状（枚葉状）であり、伸張後の状態（以下「伸張状態」という）ではシート状よりも厚みを増した状態（以下「マット状」という）をなす。
シート状よりもマット状のほうが緩衝部の厚み方向の寸法が大きい。このように厚み方向の寸法が確保されたマット状の緩衝部には、緩衝用の変形代が形成される。なお、シート状であってもマット状であっても、緩衝部は厚み方向に直交する方向に面状に延在している。
【００１１】
本実施形態では、二種の包装袋を例示する。具体的には、未伸長状態の緩衝部が内装された包装袋（以下「第一包装袋」という）と、伸長状態の緩衝部が内装された包装袋（以下「第二包装袋」という）とを例に挙げる。
上記した二種の包装袋では、その状態（フェーズ）によって、緩衝部の形態が異なる。第一包装袋の緩衝部は、未使用状態でシート状をなし、包装袋に物品を包装するときに伸張されて、使用状態でマット状をなす。一方、第二包装袋の緩衝部は、包装袋の製造時に予め伸張されて、製造完了後には使用前からマット状をなす。そのため、第二包装袋では、使用者による緩衝部の伸張作業が不要である。
【００１２】
これらの包装袋を構成する本体袋および緩衝部は、クラフト紙，上質紙，中質紙，アート紙，コート紙，キャストコート紙，インクジェット記録紙，クルパック紙，ライナー，白板紙などの紙や板紙から形成することができる。また、これらの紙や板紙の片面あるいは両面にポリエチレン樹脂などの熱可塑性樹脂をラミネートしたラミネート紙，スパンボンドやスパンレースなどの不織布，合成紙やフィルムなどのプラスチックシートなどのシート材、積層紙や段ボール紙などから形成することもできる。なかでも、紙や板紙は古紙を再生することが容易であるため、シート材に用いるのが好適である。特に、クラフト紙，クルパック紙，板紙は、強度が優れるため、シート材に用いるのが好ましい。なお、シート材には、耐水性や印刷適性の付与、強度の向上といった目的で片面あるいは両面に塗工層が設けられていてもよい。
【００１３】
また、本体袋および緩衝部は、紙あるいは樹脂といった同一の材料から形成されることが好ましい。ただし、本体袋および緩衝部のそれぞれを異なる材料から形成してもよい。
なお、包装袋の説明では、開口が上向きに配置された状態の包装袋について述べる。また、重力の作用方向を下方とし、下方の反対方向を上方とする。
【００１４】
［Ｉ．構成］
まず、二種の包装袋に共通して用いられる緩衝部の構成を説明する。
以下、未伸長状態の緩衝部を説明し、その後に、伸長状態の緩衝部を説明する。
【００１５】
――未伸長状態の緩衝部――
図１に示すように、未伸長状態の緩衝部２０には、複数の切れ込み部３が千鳥状に設けられている。
切れ込み部３には、Ｘ方向（所定方向）に沿って主部３ａが切り込まれている。ここでは、直線状に延在する主部３ａを例示する。
【００１６】
主部３ａは、Ｘ方向に沿って断続的に並んで設けられている。すなわち、Ｘ方向に隣接する主部３ａどうしの間には、切り込まれていない非切れ込み部４が設けられている。
主部３ａのＸ方向寸法は、非切れ込み部４のＸ方向寸法よりも大きく設定されている。すなわち、主部３ａのＸ方向寸法を「Ｌ1」とし、非切れ込み部４のＸ方向寸法を「Ｌ2」とすれば、不等式１「Ｌ1＞Ｌ2」が満たされる。
【００１７】
ここで、主部３ａおよび非切れ込み部４がＸ方向に沿って交互に並んで設けられた一行の配置を第一パターンＰ1とする。また、第一パターンＰ1の主部３ａおよび非切れ込み部４とは半ピッチずらされて配置された主部３ａおよび非切れ込み部４がＸ方向に沿って交互に並んで設けられた他行の配置を第二パターンＰ2とする。これらの第一パターンＰ1および第二パターンＰ2は、Ｙ方向に沿って交互に並んで設けられる。
【００１８】
詳細に言えば、第一パターンＰ1における主部３ａのＸ方向中心Ｃaと第二パターンＰ2における非切れ込み部４のＸ方向中心ＣbとがＹ方向に沿って並んで配置される。同様に、第一パターンＰ1における非切れ込み部４のＸ方向中心Ｃbと第二パターンＰ2における主部３ａのＸ方向中心ＣaとがＹ方向に沿って並んで配置される。
【００１９】
ところで、切れ込み部３が主部３ａのみから構成される場合には、［発明が解決しようとする課題］の欄で上述したように、その目の開く向きを調節することができない。
そこで、本実施形態の切れ込み部３には、主部３ａの延在方向以外に方向性をもたせて目の開く向きを調節するため、主部３ａのほかに補助部３ｂが設けられている。このことから、補助部３ｂは、目の開く向きを調整する「調整部」とも言え、切れ込み部３の主部３ａに方向性をもたせる「方向性付与部」とも言える。
【００２０】
補助部３ｂは、Ｘ方向に交差する方向、たとえば直交するＹ方向に主部３ａの端部から延出して切り込まれている。具体的に言えば、主部３ａのＸ1方向端部（一端部）からＹ2方向に向けて第一補助部３１ｂが延出するとともに、主部３ａのＸ2方向端部（他端部）からＹ2方向に向けて第二補助部３２ｂが延出する。すなわち、切れ込み部３は、開放側をＹ2方向に向けたコ字形（鉤形）をなしている。
【００２１】
また、補助部３１ｂ，３２ｂの各Ｙ方向寸法（切れ込み寸法）は、主部３ａのＸ方向寸法よりも小さく、更にパターンＰ1，Ｐ2どうしが離間するＹ方向寸法よりも小さく設定される。なかでも、使用の強度低下や伸長の際の意図としない破断を防ぐ観点から、パターンＰ1，Ｐ2どうしが離間するＹ方向寸法の１／２以下であることが好ましく、１／４以下であることがより好ましい。
なお、以下の説明では、第一補助部３１ｂと第二補助部３２ｂとを区別しない場合には、単に「補助部３ｂ」と称する。
【００２２】
ここでは、全ての切れ込み部３においてその両端から延出方向の統一された補助部３ｂが連設された構成を例示する。ただし、切れ込み部のうち一方の端部だけに補助部が連設されてもよい。この場合は、Ｌ字形（鉤形）の切れ込み部が設けられる。さらに、切れ込み部のうち、一部だけに補助部が設けられていてもよい。言い換えれば、切れ込み部のうち、補助部および主部から構成される切れ込み部と、主部のみからなる切れ込み部とが混在していてもよい。
【００２３】
このような緩衝部２０は、切れ込み部３の主部３ａおよび補助部３ｂに対応した形状の刃部（カッタ）が外周に設けられたロータリダイカッタによって、切れ込まれていないシート材を回転しながら切り込むことで製造することができる。あるいは、主部３ａおよび補助部３ｂに対応した形状の刃部が設けられた平板ダイカッタによって、切り込まれていないシート材をプレスしながら切り込むことで、緩衝部２０を製造することもできる。さらに、レーザーカッタやウォータージェットなど公知の加工機を用いて切れ込み部３を製造することもできる。
【００２４】
ここで、第一パターンＰ1における一つの切れ込み部３における主部３ａに着目すると、第一パターンＰ1の主部３ａに対してＹ1方向のシート片は、第二パターンＰ2の主部３ａおよび非切れ込み部４に対する位置によって、第一片部３１，第二片部３２および第三片部３３に大別される。
第一片部３１は、第一パターンＰ1の主部３ａにおけるＸ1方向側の部分と第二パターンＰ2の主部３ａにおけるＸ2方向側の部分とで挟まれる部位である。
【００２５】
第二片部３２は、第一パターンＰ1の主部３ａにおけるＸ方向中央の部分と第二パターンＰ2の非切れ込み部４の全部とで挟まれる部位である。
第三片部３３は、第一パターンＰ1の主部３ａにおけるＸ2方向側の部分と第二パターンＰ2の主部３ａにおけるＸ1方向側の部分とで挟まれる部位である。
【００２６】
また、第一パターンＰ1の主部３ａに対してＹ2方向のシート片は、上記の片部３１，３２，３３と同様に、第四片部３４，第五片部３５および第六片部３６に大別される。
第四片部３４は、第一パターンＰ1の主部３ａにおけるＸ1方向側の部分と第二パターンＰ2における主部３ａのＸ2方向側の部分とで挟まれる。この第四片部３４に対してＸ１方向側の境界上には、Ｙ1方向側の一部に第一補助部３１ｂが配置されている。
【００２７】
第五片部３５は、第一パターンＰ1の主部３ａにおける幅方向中央の部分と第二パターンＰ2の非切れ込み部４の全部とで挟まれる。
第六片部３６は、第一パターンＰ1の主部３ａにおけるＸ2方向側の部分と第二パターンＰ2の主部３ａにおけるＸ1方向側の部分とで挟まれる。この第六片部３６に対してＸ2方向側の境界上には、Ｙ1方向側の一部に第二補助部３２ｂが配置されている。
【００２８】
――伸長状態の緩衝部――
つぎに、図２および図３を参照して、伸張状態の緩衝部２０を説明する。
図２および図３に示すように、伸張状態の緩衝部２０は、非伸張状態の緩衝部２０と比較して、Ｙ方向に伸びている。このときの緩衝部２０では、上記した未伸張状態における緩衝部２０の厚み方向へ片部３１〜３６が立ち上がり、切れ込み部３に対応する目が開く。そして、立ち上がった片部３１〜３６によって立体状の緩衝セル４０が形成される。言い換えれば、一つの切れ込み部３に対して周囲に配置された片部３１〜３６が立ち上がることで、一つの緩衝セル４０が出現する。
【００２９】
詳細に言えば、第一片部３１に対応する第一壁部４１，第二片部３２に対応する第二壁部４２，第三片部３３に対応する第三壁部４３，第四片部３４に対応する第四壁部４４，第五片部３５に対応する第五壁部４５および第六片部３６に対応する第六壁部４６が、六角筒の各側壁をなすように緩衝セル４０において立設される。
このようにして厚み方向の寸法が確保されたマット状の緩衝部２０には、緩衝用の変形代、すなわち、緩衝代が形成される。
【００３０】
なお、緩衝部２０が破損しない範囲で幾何学的に最も伸張した状態（以下「最大伸張状態」という）では、第一壁部４１および第四壁部４４が同一平面に沿うとともに、第三壁部４３および第六壁部４６が他の同一平面に沿って第一壁部４１および第四壁部４４と対向する。そのため、最大伸張状態の緩衝セル４０では、四角筒の各側壁をなすように壁部４１〜４６が立設される。
【００３１】
図２には、補助部３ｂによって片部３１〜３６の立ち上がる向きがＹ１方向側に調節された状態を例示する。すなわち、切れ込み部３に対応する目の開く向きがＹ2方向側に調節されている。この目開き方向は、Ｙ1方向からＹ2方向へ向けて「順目」をなし、Ｙ2方向からＹ1方向へ向けて「逆目」をなす。
敷衍して言えば、切れ込み部３に対応する目の開く向きは、補助部３ｂの延出方向と同じ方向またはこれとは反対の方向に調節される。すなわち、切れ込み部３に対応する目の開く向きは、Ｙ1方向からＹ2方向へ向けて「順目」およびＹ2方向からＹ1方向へ向けて「順目」の何れか一方に調節される。
【００３２】
［１．第一包装袋］
では、第一包装袋１を説明する。
まず、図４および図５を参照して、第一包装袋１の本体袋１０を説明する。
本体袋１０は、フラップ１９で開閉される開口９が上部に形成されたマチ無しの封筒型に設けられる。ここでは、本体袋１０として角形封筒を例示するが、長形封筒や洋形封筒あるいは規格外の封筒を本体袋に用いてもよい。
この本体袋１０には、互いに対向する第一面部１１と第二面部１２とが設けられる。
【００３３】
これらの面部１１，１２は、本体袋１０において開口９の下方に設けられた底部１３と、この底部１３と開口９とを結ぶように立設された二つの側部１４，１５とにおいて互いに連設される。また、第一面部１１の上端縁部（第一端縁部）１１０が開口９の一側（図１では右上側）に配置され、第二面部１２の上端縁部（第二端縁部）１２０が開口９の他側（図１では左下側）に配置される。
さらに、第一面部１１には、上方に突出して設けられたフラップ１９が連設される。
【００３４】
つぎに、第一包装袋１の緩衝部２０Ａを説明する。
緩衝部２０Ａは、本体袋１０に内装され、第一面部１１の上端縁部１１０と第二面部１２の上端縁部１２０との間に架け渡されて懸架される。
この緩衝部２０Ａは、面部１１，１２の上端縁部１１０，１２０に貼り付けられる貼付端部２１，２２と、これらの貼付端部２１，２２の間において吊り下げられた状態（懸架状態）で本体袋１０の内部に設けられる本体部２３との二種の部位に大別される。
【００３５】
ここでは、第一面部１１の上端縁部１１０のうち内面１１１に対して第一貼付端部２１が貼り付けられ、同様に、第二面部１２の上端縁部１２０のうち内面１２１に対して第二貼付端部２２が貼り付けられる。一方、本体部２３は、何れの部位にも貼り付けられることはない。
【００３６】
また、緩衝部２０Ａに沿って第一貼付端部２１と第二貼付端部２２とを結ぶ懸架方向において中央の折線部２３０で二つ折りにされた状態の緩衝部２０Ａを例示する。
このように二つ折りにされた緩衝部２０Ａの本体部２３は、図５に示すように、折線部２３０を挟んで第一貼付端部２１側の第一本体部２３１と第二貼付端部２２側の第二本体部２３２との二つの部位に大別される。
【００３７】
図６に示すように、本体部２３は、開口９から包装袋に入れられた物品８が載せられることで、物品８の重量によって伸張する。
つまり、物品８が包装袋に入れられる前（包装袋の未使用時）には緩衝部２０Ａが未伸張状態であり、物品８が包装袋に入れられた後（包装袋の使用時）には緩衝部２０Ａが伸張状態となる。
【００３８】
このように緩衝部２０Ａを伸張可能とする構造は、本体部２３に設けられる。
図４に示すように、本体部２３には、上述した複数の切れ込み部３が千鳥状に設けられている。これらの切れ込み部３は、緩衝部２０Ａのうち少なくとも本体部２３に設けられている。
【００３９】
切れ込み部３のうち主部３ａは、懸架方向（ここでは上下方向）に対して直交（交差）する方向（以下「幅方向」という）に延びている。一方、補助部３ｂは、物品８を挿入する方向（挿入方向）および物品８を取り出す方向（抜去方向）の二方向（挿抜方向）のうち、何れか一方に延出して設けられる。図４では、物品８の挿入方向（ここでは下方）に主部３ａから延出した補助部３ｂを例示している。
【００４０】
この切れ込み部３の製法としては、折線部２３０で折り畳まれて二層をなす緩衝部２０を、切れ込み部３に対応する形状（折線部２３０側に開放側を向けたコ字形）のカッタで二枚とも切り込む製法が挙げられる。あるいは、折線部２３０で折られる前の一層をなす緩衝部２０を、第一本体部２３１に対応する領域と第二本体部２３２に対応する領域とでコ字形の開放側が反対を向く形状のカッタで切り込む製法も挙げられる。
【００４１】
また、伸張状態の緩衝部２０Ａは、本体袋１０の底部１３と非接触に設けられる。
図６に示すように、最大伸張状態の緩衝部２０Ａにおいて最も下方に位置する折線部２３０と本体袋１０の底部１３とが接触しないように設けられる。言い換えれば、緩衝部２０のうち貼付端部２１，２２の上端２１ａ，２２ａと本体袋１０の底部１３との間の上下寸法を「Ｍ1」とし、上端２１ａ，２２ａと最大伸張状態の緩衝部２０Ａにおける折線部２３０との間の上下寸法を「Ｍ2」とすれば、不等式２「Ｍ1＞Ｍ2」が満たされる。
【００４２】
さらに、この不等式２を満たしたうえで「Ｍ2」をできるだけ大きく設定して「Ｍ1」に近づけることが好ましい。
逆に言えば、図５に示すように、最大伸張状態の緩衝部２０Ａが本体袋１０の底部１３と接触しないように、未伸張状態の緩衝部２０Ａにおける折線部２３０が本体袋１０の底部１３に対して予め所定寸法「Ｍ3」だけ上方に設けられている。すなわち、緩衝部２０Ａは、伸び代を見越して短く形成されている。
【００４３】
つづいて、図６を参照して、上記の非接触構造を実現するための緩衝部２０Ａの寸法設定例を述べる。
図１に例示した緩衝部２０ＡにおけるパターンＰ1，Ｐ2の行数を「Ｎ」とし、貼付端部２１，２２の上下寸法を「Ｍ4」とすれば、近似式３「Ｍ2−Ｍ4≒（Ｌ1−Ｌ2）×（Ｎ／４）」が成立する。
【００４４】
この近似式３の左辺は、最大伸張状態における第一本体部２３１または第二本体部２３２の上下寸法を表している。
一方、近似式３の右辺のうち（Ｌ1−Ｌ2）は、最大伸張状態における緩衝セル４０一つあたりの懸架方向寸法、即ち、第一壁部４１および第四壁部４４の懸架方向の寸法を表している。
【００４５】
また、本体部２３において緩衝セル４０が懸架方向に並ぶ数がパターンＰ1，Ｐ2の行数の半数（Ｎ／２）であることから、近似式３の右辺のうち（Ｎ／４）は、第一本体部２３１または第二本体部２３２において緩衝セル４０が懸架方向に並ぶ数を表している。
ここで、幅方向に延びる第二壁部４２および第五壁部４５の懸架方向寸法を無視すれば、第一本体部２３１または第二本体部２３２において緩衝セル４０が懸架方向に並ぶ数（Ｎ／４）を、最大伸張状態における緩衝セル４０一つあたりの懸架方向寸法（Ｌ1−Ｌ2）に乗算した値（近似式３の右辺）は、第一本体部２３１または第二本体部２３２の最大伸張状態における上下寸法に近似するものと言える。
【００４６】
そのため、切れ込み部３あるいは非切れ込み部４の幅方向寸法Ｌ1，Ｌ2やパターンＰ1，Ｐ2の行数、貼付端部２１，２２の上下寸法Ｍ4といった近似式３における各項に対応するパラメータを適宜設定することで、上記の非接触構造を設計することができる。
【００４７】
――第一包装袋の変形例――
つづいて、図７を参照して、上述した第一包装袋１の変形例（「第一包装袋１Ａ」という）を説明する。
変形例の第一包装袋１Ａは、上述した第一包装袋１に対して、補助部３ｂ′の延出方向が反対向きである点が異なる。すなわち、第一包装袋１Ａの緩衝部２０Ｂには、切れ込み部３′において、物品の抜去方向に補助部３ｂ′が主部３ａ′から延出している。その他の構成は、上述した第一包装袋１と同様の構成になっている。
【００４８】
［２．第二包装袋］
つづいて、図８を参照して、第二包装袋２を説明する。
第二包装袋２には、第一包装袋１に内装された未伸長状態の緩衝部２０Ａと異なり、伸長状態の緩衝部２０″が内装されている。この緩衝部２０″は、本体袋１０″に貼り合わせられている。図８には、本体袋１０″の第一面部１１″と第二面部１２″との間に緩衝部２０″が挟み込まれた第二包装袋２を例示する。
【００４９】
この第二包装袋２には、物品の挿入方向へ向けて順目の緩衝部２０″が内装されている。この緩衝部２０″では、伸長状態の緩衝部２０Ａと同様に、切れ込み部３″において、補助部３ｂ″が物品の挿入方向に主部３ａ″から延出している。その他の構成は、上述した第一包装袋１と同様の構成になっている。
【００５０】
――第二包装袋の第一変形例――
つぎに、図９を参照して、上述した第二包装袋２の第一変形例（「第二包装袋２Ａ」という）を説明する。
第一変形例の第二包装袋２Ａには、物品の抜去方向へ向けて順目の緩衝部２０Ａ″が内装されている。この緩衝部２０Ａ″の切れ込み部３Ａ″においては、物品の抜去方向に補助部３Ａｂ″が主部３Ａａ″から延出している。その他の構成は、上述した第二包装袋２と同様の構成になっている。
【００５１】
――第二包装袋の第二変形例――
さらに、図１０を参照して、上述した第二包装袋２の第二変形例（「第二包装袋２Ｂ」という）を説明する。
第二変形例の第二包装袋２Ｂは、上述した第二包装袋２に対して、切れ込み部３Ｂ″の配向が異なる。
【００５２】
詳細に言えば、緩衝部２０Ｂ″において、切れ込み部３Ｂ″の主部３Ｂａ″は、物品の挿抜方向に切り込まれている。さらに、本変形例の第二包装袋２Ｂは、第二包装袋２Ｂの緩衝部２０Ｂ″をその延在平面で幅方向一方から幅方向他方へ向けて逆目となるように構成されている。ここでは、幅方向の一方（図１０では右下側）に向けて主部３Ｂａ″から延出して補助部３Ｂｂ″が切り込まれている。その他の構成は、上述した第二包装袋２と同様の構成になっている。
【００５３】
――第二包装袋の第三変形例――
最後に、図１１を参照して、上述した第二包装袋２の第三変形例（「第二包装袋２Ｃ」という）を説明する。
第三変形例の第二包装袋２Ｃは、第二変形例の第二包装袋２Ｂに対して、目の開く向きが反対向きである点が異なる。すなわち、緩衝部２０Ｃ″は、その延在平面で幅方向一方から幅方向他方へ向けて順目となるように構成されている。この緩衝部２０Ｃ″では、切れ込み部３Ｃ″の補助部３Ｃｂ″が幅方向の他方（図１１では左上側）に向けて主部３Ｃａ″から延出して切り込まれている。
【００５４】
［ＩＩ．作用および効果］
本実施形態は、上述のように構成されるため、以下のような作用および効果を得ることができる。
【００５５】
［１．第一包装袋］
以下、第一包装袋１の基本的な作用および効果を述べた後に、第一包装袋１の補助部３ｂによる詳細な作用および効果を述べる。
【００５６】
［１−１．基本的な作用および効果］
（１）包装袋１Ａに物品８を入れて緩衝部２０の本体部２３に載せることで、未伸張状態ではシート状の本体部２３が伸び、伸張状態となった本体部２３には、切れ込み部３のそれぞれに対応する立体状の緩衝セル４０が出現する。本体袋１０の内部に出現した緩衝セル４０で物品８が囲まれることにより、物品８の保護性を確保することができ、包装袋に緩衝性を持たせることができる。
そのうえ、未伸張状態の本体部２３がシート状であることから、エアクッションやフォーミングクッション，片面段ボールといった緩衝用の変形代が設けられた緩衝材が用いられた包装袋と比較して、未使用時の包装袋の嵩張りを抑えることができる。
【００５７】
そのほか、従来の包装袋において本体袋とは別に緩衝材を設ける場合には、本体袋に対して緩衝材を固定するために、緩衝材の全体を本体袋に貼り付ける必要がある。これに対して、本包装袋では緩衝部２０が懸架されているため、緩衝部２０の一部を本体袋１０に貼り付ければよく、接着材や粘着材の使用量を低減させることができる。
また、緩衝部２０は、本体袋１０の内部で伸びることによって緩衝機能を発揮することから、伸び代を見越して短く形成されている。そのため、平面状の材料シートを波打たせる加工（フルート加工）を施して製造される片面段ボールシートが緩衝材に用いられる包装袋と比較して、緩衝材の量あるいは重さを抑えることができる。
【００５８】
（２）伸張状態の緩衝部２０が底部１３と非接触に設けられているため、包装袋に入れられる物品８と本体袋１０の底部１３との接触（底付き）が抑えられ、物品８の保護性を高めることができる。
【００５９】
（３）緩衝部２０の貼付端部２１，２２は、本体袋１０の上端縁部１１０，１２０における内面１１１，１２１に貼り付けられる。そのため、貼付端部と本体部との間で緩衝部が山折りされて上端縁部１１０，１２０の外面に貼付端部が貼り付けられる包装袋に比較して、緩衝部２０の材料の量や重さを抑えることができる。
そのほか、内面１１１，１２１に貼付端部２１，２２が貼り付けられることで、本体袋１０のフラップ１９と緩衝部２０との干渉が防止され、開口９を円滑に開閉することができる。
【００６０】
（４）第一面部１１，第二面部１２およびフラップ１９から構成される本体袋１０ならびに緩衝部２０が何れも同種の材料から形成される場合には、使用後の包装袋の処理性を向上させることができる。たとえば、包装袋を再生利用（リサイクル）あるいは廃棄する際に、材料の種別ごとに分別する必要がなく、処理作業性を向上させることができる。本体袋１０および緩衝部２０が紙製（たとえばクラフト紙）であれば、古紙回収や可燃ごみに使用後の包装袋をそのまま出すことができる。
【００６１】
（５）緩衝部２０が二つ折りにされた状態で懸架されるため、たとえば緩衝部が三つ以上に折られた状態で懸架される包装袋と比較して、未使用時の包装袋の厚みを抑えることができる。
具体的には、未使用時の包装袋において本体部２３が設けられる箇所では、第一面部１１，第一本体部２３１，第二本体部２３２，第二面部１２の順に四つのシート片が積層される。これに対して、三つ以上に折られた緩衝部では、三つ以上の本体部が折り畳まれ、五つ以上のシート片が積層される。したがって、折り畳まれた本体部２３の厚みが抑えられることで、包装袋の嵩張りを抑えることができる。
【００６２】
（６）そのほか、第一面部１１および第二面部１２をもつ本体袋１０と緩衝部２０とが別部材であることから、さまざまな形状や大きさの本体袋１０に対して緩衝部２０を貼り付けることができる。反対に、種々の大きさの緩衝部２０を本体袋１０に貼り付けることもできる。そのため、物品８の大きさや形状に応じた種々の包装袋を効率よく製袋することができる。
【００６３】
［１−２．詳細な作用および効果］
（１）第一包装袋１の緩衝部２０には、幅方向に沿って切り込まれた主部３ａの端部から補助部３ｂが挿入方向に延出して切り込まれた切れ込み部３が千鳥状に配置される。そのため、切れ込み部３に主部の延在方向以外の方向性が設定される。よって、緩衝部２０を伸長させたときに、切れ込み部３に対応する目の開く向きを揃えることができる。
このように開く向きが調節された目が物品の挿入方向へ向けて順目の場合には、第一包装袋１へ物品８を挿入しやすくなり、包装作業性の低下を抑えることができる。逆に言えば、切れ込み部３が物品の抜去方向に対して逆目となる向きであることから、物品の不意な飛び出しを抑えることもできる。
一方、開く向きが調節された目が物品の抜去方向へ向けて順目の場合には、第一包装袋１から物品を取り出しやすくなり、開封作業性の低下を抑えることができる。
【００６４】
（２）また、緩衝部２０には、全ての切れ込み部３に補助部３ｂが設けられている。そのため、切れ込み部３に対応する目の開く向きは、物品の挿入方向または抜去方向の何れか一方に統一することができる。したがって、伸長状態の緩衝部２０の見栄え（外観）を向上させることもできる。物品の挿入方向へ向けて順目の場合には、包装作業性の低下を確実に抑えることができる。
【００６５】
（３）なお、緩衝部２０には、全ての切れ込み部３に補助部３ｂが設けられていない場合であっても、切れ込み部の一部に補助部が設けられていれば、見栄えの向上にも寄与し、上述した包装作業性の向上に寄与しうる。そのほか、補助部３ｂの形成コストを低減させることに寄与しうる。
【００６６】
（４）つづいて、変形例の第一包装袋１Ａに関する作用および効果を述べる。
変形例の第一包装袋１Ａには、物品の抜去方向に補助部３ｂ′が主部３ａ′の端部から延出している。よって、緩衝部２０Ｂを伸長させたときに、切れ込み部３′に対応する目の開く向きを物品の抜去方向へ向けて順目または逆目となるように調整することができる。物品の抜去方向へ向けて順目の場合には、第一包装袋１Ａから物品を取り出しやすくなり、開封作業性の低下を抑えることができる。物品の挿入方向へ向けて順目の場合には、第一包装袋１Ａへの物品の挿入しやすくなり、包装作業性の低下を抑えることができる。
【００６７】
［２．第二包装袋］
以下、第二包装袋２の作用および効果を述べる。
（１）予め伸張された緩衝部２０″が本体袋１０″の内側に配置されるため、伸長させることで緩衝代が出現するシート状の緩衝部２０″に緩衝機能をもたせることができる。
さらに、予め伸長させられた緩衝部２０″が第二包装袋２に内装されるため、平面状の材料シートを波打たせたり皺を寄せたりする収縮加工を施して製造される緩衝部が用いられる包装袋と比較して、材料の量を低減させてコストを抑えることができ、重量を抑えることもできる。
【００６８】
（２）さらに、第二包装袋２には、物品の挿入方向へ向けて順目の緩衝部２０″が内装されているため、包装作業性の低下を抑えることができる。
【００６９】
（３）つづいて、第一変形例の第二包装袋２Ａに関する作用および効果を述べる。
第二包装袋２Ａは、物品の抜去方向へ向けて順目の緩衝部２０Ａ″が内装されているため、開封作業性の低下を抑えることができる。
【００７０】
（４）つづいて、第二変形例および第三変形例の第二包装袋２Ｂ，２Ｃによれば、切れ込み部３Ｂ″，３Ｃ″の主部３Ｂａ″，３Ｃａ″が物品の挿抜方向に沿って延在するため、出し入れされる物品の引っ掛かりが抑えられ、包装作業性や開封作業性を向上させることができる。
【００７１】
（５）翻って言えば、第二包装袋２，２Ａの緩衝部２０″，２０Ａ″には、物品の挿抜方向と交差する幅方向に沿って延在する切れ込み部３″，３Ａ″が設けられている。このことから、包装袋に出し入れされる物品が引っ掛かりやすいものの、第二包装袋２，２Ａに収容された物品の移動を規制することができる。これにより、物品の保護性を高めることができる。
【００７２】
［ＩＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００７３】
たとえば、本体袋には、フラップが設けられたマチ無しの封筒型に限らず、たとえば角底袋，ガセット袋，ピロー袋、スタンディングパウチといったさまざまな型式の袋を用いることができ、マチ付きの袋やフラップ無しの袋を用いてもよい。
【００７４】
また、第一包装袋における切れ込み部の主部は、幅方向に延びる配向に限らず、少なくとも懸架方向に対して交差する方向に延びていればよい。このような配向により、緩衝部を懸架方向に伸張させることができる。
第二包装袋における切れ込み部の主部は、挿抜方向や幅方向に延びる配向に限らず、種々の方向の延びる配向を採用することができる。ただし、緩衝部を伸長させる方向は、切れ込み部の延在方向に対して少なくとも交差する方向である。
【００７５】
さらに、補助部の延出方向は、統一される配向に限らず、不統一であってもよい。すなわち、主部に対する補助部の延出方向を意図的に相違させてもよい。この場合には、補助部の設けられた切れ込み部の目が開く向きが不揃いになりうることから、包装された物品の変位を抑制することができ、輸送時や保管時における物品の保護性を高めることができる。
【符号の説明】
【００７６】
１    第一包装袋（包装袋）
１Ａ    変形例の第一包装袋（包装袋）
２    第二包装袋（包装袋）
２Ａ    第一変形例の第二包装袋（包装袋）
２Ｂ    第二変形例の第二包装袋（包装袋）
２Ｃ    第三変形例の第二包装袋（包装袋）
３，３′，３″，３Ａ″，３Ｂ″，３Ｃ″    切れ込み部
３ａ，３ａ′，３ａ″，３Ａａ″，３Ｂａ″，３Ｃａ″    主部
３ｂ，３ｂ′，３ｂ″，３Ａｂ″，３Ｂｂ″，３Ｃｂ″    補助部
３１ｂ，３１ｂ′，３１ｂ″，３１Ａｂ″，３１Ｂｂ″，３１Ｃｂ″    第一補助部
３２ｂ，３２ｂ′，３２ｂ″，３２Ａｂ″，３２Ｂｂ″，３２Ｃｂ″    第二補助部
４    非切れ込み部
８    物品
９    開口
１０    本体袋（外装体）
１１，１２    面部
１１０，１２０    上端縁部（第一端縁部，第二端縁部）
１３    底部
１４，１５    側部
１９    フラップ
２０，２０Ａ，２０′，２０″，２０Ａ″，２０Ｂ″，２０Ｃ″    緩衝部（内装体）
２１，２２    貼付端部
２３    本体部
２３０    折線部
３１，３２，３３，３４，３５，３６    片部
４０    緩衝セル
４１，４２，４３，４４，４５，４６    壁部
【図１】
2019099223.tif 000003
【図２】
2019099223.tif 000004
【図３】
2019099223.tif 000005
【図４】
2019099223.tif 000006
【図５】
2019099223.tif 000007
【図６】
2019099223.tif 000008
【図７】
2019099223.tif 000009
【図８】
2019099223.tif 000010
【図９】
2019099223.tif 000011
【図１０】
2019099223.tif 000012
【図１１】
2019099223.tif 000013